(57)【要約】  ハイブリッド式作業機械において、油圧ポンプ（２１）をエンジン（３０）の出力と電動発電機（３４）の出力とで駆動する。油圧ポンプ（２１）の入力側の動力（Ｗｉｎ）を算出し、算出した動力（Ｗｉｎ）に基づいて電動発電機（３４）の出力を制御する。これにより、油圧ポンプ（２１）の入力側の動力を精確に求め、入力側の動力に基づいてエンジンの負荷を制御することができる。
2010061837.tif 000002
【特許請求の範囲】
【請求項１】
油圧ポンプをエンジンの出力と電動発電機の出力とで駆動するハイブリッド式作業機械の制御方法であって、
前記油圧ポンプの入力側の動力を算出し、
算出した動力に基づいて前記電動発電機の出力を制御する
ことを特徴とするハイブリッド式作業機械の制御方法。
【請求項２】
請求項１記載のハイブリッド式作業機械の制御方法であって、
前記油圧ポンプの入力側の動力を推定演算により算出することを特徴とするハイブリッド式作業機械の制御方法。
【請求項３】
請求項２記載のハイブリッド式作業機械の制御方法であって、
前記油圧ポンプの出力側の動力を求め、求められた動力をポンプ効率で割ることにより、前記油圧ポンプの入力側の動力を算出することを特徴とするハイブリッド式作業機械の制御方法。
【請求項４】
請求項３記載のハイブリッド式作業機械の制御方法であって、
前記油圧ポンプとして可変斜板式油圧ポンプを用い、
該可変斜板式油圧ポンプの傾斜板角度と吐出圧力とを用いて前記ポンプ効率を算出する
ことを特徴とするハイブリッド式作業機械の制御方法。
【請求項５】
請求項１記載のハイブリッド式作業機械の制御方法であって、
前記エンジンの動力を前記油圧ポンプに供給する連結軸にトルクセンサを設け、
該トルクセンサの検出値から前記油圧ポンプの入力側の動力を算出する
ことを特徴とするハイブリッド式作業機械の制御方法。
【請求項６】
請求項１乃至４のうちいずれか一項記載のハイブリッド式作業機械の制御方法であって、
ネガティブコントロール圧力から求めた前記油圧ポンプの吐出量であるネガコン制御吐出量圧と、前記油圧ポンプの吐出圧力から求めた前記油圧ポンプの吐出量である馬力制御吐出量とを比較し、いずれか小さいほうを前記油圧ポンプの吐出量として選定することを特徴とするハイブリッド式作業機械の制御方法。
【請求項７】
請求項１乃至４のうちいずれか一項記載のハイブリッド式作業機械の制御方法であって、
油圧負荷を駆動するための指令を送る複数の操作レバーのレバー操作量から求めた前記油圧ポンプに要求される吐出量を加算して求めた要求吐出量と、前記油圧ポンプの吐出圧力から求めた前記油圧ポンプの吐出量である馬力制御吐出量とを比較し、いずれか小さいほうを前記油圧ポンプの吐出量として選定することを特徴とするハイブリッド式作業機械の制御方法。
【請求項８】
請求項１乃至４のうちいずれか一項記載のハイブリッド式作業機械の制御方法であって、
最大負荷圧力に所定の差圧を加算して求めた油圧ポンプの吐出圧力を用いて、ポンプ馬力制御ＰＱ線図から前記油圧ポンプの吐出量を求めることを特徴とするハイブリッド式作業機械の制御方法。
【請求項９】
可変容量式油圧ポンプをエンジンで駆動し、電動発電機により該エンジンをアシストするハイブリッド式作業機械のポンプ出力制御方法であって、
前記可変式油圧ポンプの出力から前記エンジンの出力及び前記電動発電機の出力を減算して求めた出力超過分を用い、予め定められたアルゴリズムに従って前記可変容量式油圧ポンプの出力を制限することを特徴とするハイブリッド式作業機械のポンプ出力制御方法。
【請求項１０】
請求項９記載のハイブリッド式作業機械のポンプ出力制御方法であって、
前記アルゴリズムは、前記出力超過分と前記可変容量式油圧ポンプの吐出圧力とを用いて前記可変容量式油圧ポンプの制御電流を決定することを特徴とするハイブリッド式作業機械のポンプ出力制御方法。
【請求項１１】
請求項９記載のハイブリッド式作業機械のポンプ出力制御方法であって、
前記アルゴリズムに基づいて作成したマップを用いて前記可変容量式油圧ポンプの制御電流を決定することを特徴とするハイブリッド式作業機械のポンプ出力制御方法。
【請求項１２】
請求項９記載のハイブリッド式作業機械のポンプ出力制御方法であって、
前記アルゴリズムは、前記可変容量式油圧ポンプの制御電流制限量とポンプ出力制限量の関係を示す線図を用いて、前記可変容量式油圧ポンプの制御電流を決定することを特徴とするハイブリッド式作業機械のポンプ出力制御方法。
【請求項１３】
請求項９記載のハイブリッド式作業機械のポンプ出力制御方法であって、
前記アルゴリズムは、前記可変容量式油圧ポンプの制御電流制限量とトルク制限量の関係を示す線図を用いて、前記可変容量式油圧ポンプの制御電流を決定することを特徴とするハイブリッド式作業機械のポンプ出力制御方法。
【請求項１４】
請求項９記載のハイブリッド式作業機械のポンプ出力制御方法であって、
前記アルゴリズムは、前記可変容量式油圧ポンプの制御電流制限量とポンプ吐出量制限量の関係を示す線図を用いて、前記可変容量式油圧ポンプの制御電流を決定することを特徴とするハイブリッド式作業機械のポンプ出力制御方法。
【発明の詳細な説明】
【技術分野】
【０００１】
本発明はハイブリッド式作業機械の制御方法及びポンプ出力制御方法り、特に内燃機関を電動モータによりアシストしてポンプを駆動して油圧を発生させるハイブリッド式作業機械の制御方法及びポンプ出力制御方法に関する。
【背景技術】
【０００２】
ハイブリッド式作業機械は、一般的にエンジン（内燃機関）の出力で油圧ポンプを駆動し、発生した油圧により作業を行なう。そして、電動モータでエンジンをアシストすることでエンジンを効率的に運転する。電動モータは主にバッテリからの電力により駆動される。バッテリは充放電式であり、エンジンをアシストするときは放電して電動モータに電力を供給する。一方、エンジンをアシストしないときには、エンジンで駆動される発電機からの電力や油圧負荷からの回生電力により充電される。これにより、バッテリが常にある程度充電された状態に維持して電動モータをアシストできるようにする。【０００３】
このようにハイブリッド式作業機械では、エンジンを電動モータでアシストすることができるため、エンジンの最大出力を小さくして小型のエンジンとすることができる。エンジンの最大出力より大きな出力が油圧ポンプに要求された場合には、電動モータでアシストしてその要求に応えることができる。【０００４】
電動モータを電動発電機とすることで、電動モータと発電機の機能を一つにまとめることができる。この場合、電動モータとしてアシスト機能を実行するか、あるいは発電機として発電機能を実行するかを制御する必要がある。【０００５】
そこで、油圧ポンプの出力を演算により求め、求めた油圧ポンプ出力と閾値とを比較して電動発電機を電動モータとして機能させるか発電機として機能させるかを切替え制御することが提案されている（例えば、特許文献１参照。）。【０００６】
また、ハイブリッド式作業機械では、油圧負荷の要求に応じて発生する油圧を変化させることができるように、可変容量式油圧ポンプが用いられることが多い（例えば、特許文献２参照）。
【先行技術文献】
【特許文献】
【０００７】
【特許文献１】特開２００４−１１２５６号公報
【特許文献２】特開平１０−１０３１１２号公報
【発明の概要】
【発明が解決しようとする課題】
【０００８】
油圧ポンプの出力は、油圧ポンプの圧力と流量から演算により求めることができる。この出力は油圧ポンプの出力側の動力に相当する。したがって、従来は、油圧ポンプの出力側の動力を演算により求め、この動力に基づいて電動発電機の出力制御を行なっていた。【０００９】
ところが、油圧ポンプに実際に入力される入力側の動力は、出力側の動力と全く等しいわけではなく、油圧ポンプの出力側の動力がわかったとしても、入力側の動力を精確に把握することはできない。油圧ポンプの入力側の動力はエンジンと電動発電機の動力の和である、油圧ポンプの出力側の動力はエンジンの負荷と電動発電機の負荷の和を精確に反映したものではない。【００１０】
エンジンを効率的に運転するためには、エンジンの負荷を精度よく求めてこれに基づいて電動発電機の出力を調整する必要がある。したがって、エンジンを効率的に運転するためには、油圧ポンプの入力側の動力を精度よく求める必要がある。【００１１】
また、上述のようなハイブリッド式作業機械において、バッテリをある程度の充電状態に維持して電動モータを常に駆動できる状態にしている。ところが、油圧負荷が連続して大きな油圧を要求したような場合、バッテリの充電量が不足し、電動モータでエンジンをアシストできなくなるような状態が生じ得る。このような場合、油圧ポンプがエンジンに要求する出力のほうが、エンジンの最大出力より大きくなり、エンジンに過負荷がかかった状態となり、エンジンの運転効率が低くなるばかりでなく、最悪の場合にはエンジンストールを起してエンジンが停止してしまうおそれがある。【００１２】
本発明の一実施態様は、油圧ポンプの入力側の動力を精確に求め、入力側の動力に基づいてエンジンの負荷を制御することを目的とする。また、本発明の他の実施態様は、エンジンの最大出力を越える出力が要求された場合に、油圧ポンプの出力を制限することで、エンジンへの出力要求を低減し、エンジンが正常に運転を続けることができるようにするハイブリッド式作業機械のポンプ出力制限方法を提供することを目的とする。
【課題を解決するための手段】
【００１３】
上述の目的を達成するために、本発明の一実施態様によれば、油圧ポンプをエンジンの出力と電動発電機の出力とで駆動するハイブリッド式作業機械の制御方法であって、油圧ポンプの入力側の動力を算出し、算出した動力に基づいて前記電動発電機の出力を制御することを特徴とするハイブリッド式作業機械の制御方法が提供される。【００１４】
また、本発明の他の実施態様によれば、可変容量式油圧ポンプをエンジンで駆動し、電動発電機により該エンジンをアシストするハイブリッド式作業機械のポンプ出力制御方法であって、可変式油圧ポンプの出力からエンジンの出力及び電動発電機の出力を減算して求めた出力超過分を用い、予め定められたアルゴリズムに従って可変容量式油圧ポンプの出力を制限することを特徴とするハイブリッド式作業機械のポンプ出力制御方法が提供される。
【発明の効果】
【００１５】
本発明の一実施態様によれば、油圧ポンプの入力側の動力を精度良く求めることができ、この入力側の動力に基づいて電動発電機によるエンジンのアシスト量を制御する。このため、エンジンの負荷を精度よく制御することができ、エンジンを運転効率の良い状態に常に維持することができる。【００１６】
また、本発明の他の実施態様によれば、エンジンの最大出力を越える出力が要求された場合に、油圧ポンプの出力を制限することで、エンジンへの出力要求を低減し、エンジンが正常に運転を続けることができる。
【図面の簡単な説明】
【００１７】
【図１】本発明に適用される油圧ショベルの制御回路である。
【図２】図１の制御回路によって実現させる油圧ポンプの吐出圧力と吐出流量の関係を示す特性図である。
【図３】図１に示す制御装置が設けられた油圧ショベルの駆動系のブロック図である。
【図４】油圧負荷算出アルゴリズムを示す図である。
【図５】油圧ポンプ効率マップを示す図である。
【図６】図５に示すポンプ効率マップを用いて補間法によりポンプ効率を求める際の演算処理のフローチャートである。
【図７】ネガコン圧力を考慮したときの油圧負荷算出アルゴリズムを示す図である。
【図８】油圧ポンプの駆動トルクと回転数とから直接に油圧ポンプ出力（軸入力側）を算出する油圧負荷推定アルゴリズムを示す図である。
【図９】ポジコン制御を行なうようにポンプの制御回路が構成された場合において、軸入力側の出力（動力）を算出する際に用いる油圧負荷算出アルゴリズムを示す図である。
【図１０】ロードセンシング制御を行なうようにポンプの制御回路が構成された場合において、軸入力側の出力（動力）を算出する際に用いる油圧負荷算出アルゴリズムを示す図である。
【図１１】線形補間によりポンプ電流制限量を算出する方法を説明するための図である。
【図１２】図１１に示すポンプ出力演算部のブロック図である。
【図１３】図１１に示すＰ−Ｗ線図を説明するための図である。
【図１４】ポンプ電流により決まるポンプ吐出圧とポンプ駆動トルクの関係を示す線図から、Ｐ−Ｔマップのテーブルを作成することを説明する図である。
【図１５】図１４に示すＰ−Ｔマップテーブルを用いてポンプ出力制限量から制限後のポンプ電流を求める処理のフローチャートである。
【図１６】図１５に示す処理の各ステップに対応する部分が示されたＰ−Ｔマップテーブルを示す図である。
【図１７】ポンプ電流により決まるポンプ吐出圧とポンプ吐出量の関係を示す線図から、Ｐ−Ｑマップのテーブルを作成することを説明する図である。
【図１８】図１６に示すＰ−Ｑマップテーブルを用いてポンプ出力制限量から制限後のポンプ電流を求める処理のフローチャートである。
【図１９】図１８に示す処理の各ステップに対応する部分が示されたＰ−Ｑマップテーブルを示す図である。
【図２０】コントローラにより実行される動力分配処理の一例を示す制御ブロック図である。
【発明を実施するための形態】
【００１８】
本発明の実施形態について図面を参照しながら説明する。
【００１９】
まず、本発明による出力制限方法が適用されるハイブリッド式作業機械の一例としての油圧ショベルの制御装置について説明する。図１は本発明による制御方法が適用される油圧ショベルの制御回路を示すブロック図である。なお、本発明が適用されるハイブリッド式作業機械は、油圧ショベルに限定されるものではない。
【００２０】
まず、図１に示す油圧ショベルの制御回路の構成について説明する。エンジンモータ１によって駆動される可変容量式油圧ポンプ（以下、単に油圧ポンプと称する）２１の油路には、それぞれ、切換弁２２ａ，２２ｂ，２２ｃが接続されている。そして、切換弁２２ａの上流側の油路には、ポンプ吐出圧センサ２３が接続されている。ポンプ吐出圧センサ２３は、油圧ポンプ２１の吐出圧を検出する。さらに、切換弁２２ｃの下流側の油路は、ネガティブコントロール絞り弁（以下、ネガコン絞り弁と称する）２４を介してタンク２５に接続されている。
【００２１】
可変容量式油圧ポンプ２１は、例えば可変斜板式油圧ポンプであり、斜板の角度を変更することでポンプ出力を変更することができる。すなわち、油圧ポンプ２１への制御電流を変更することにより斜板の角度を調整し、これにより油圧ポンプ２１の出力を変更することができる。
【００２２】
ネガコン絞り弁２４の上流側には、ネガティブコントロールセンサ（以下、ネガコンセンサ）２６が接続されている。ネガコンセンサ２６はコントローラ２に結線され、それぞれのタンク２５への油圧流路の油圧を検出し、検出圧力の信号をコントローラ２へ入力する。
【００２３】
ネガコン絞り弁２４、ネガコンセンサ２６及びコントローラ２からなるネガティブコントローラ（以下、ネガコンと称する）は、タンク２５に戻る油圧ポンプ２１の吐出流量の損失を低減するための制御システムである。
【００２４】
コントローラ２には、重掘削モード（Ｈモード）、標準掘削モード（Ｓモード）、仕上げ掘削モード（Ｌモード）などの各作業モードに切り換えるためのモード切換器３、及びエンジン回転数を設定するためのスロットルボリューム４が接続されている。さらに、コントローラ２には、電磁比例弁５と吐出圧センサ２３が結線されている。また、電磁比例弁５はレギュレータ２７に接続され、レギュレータ２７が油圧ポンプ２１の吐出流量を制御する。
【００２５】
通常、油圧ショベルには、重掘削モード（Ｈモード）、標準掘削モード（Ｓモード）、仕上げ掘削モード（Ｌモード）などの各作業モードに切り換えるための切換機構が装備されている。すなわち、モード切換器３の切り換え操作によってコントローラ２がポンプ電流Ｉを変更することで、各作業モードに適宜切り換えている。このような制御回路の切換機構によって、レギュレータ２７によって変更されたポンプ電流Ｉに対応して斜板２１ａの傾転角を変更し、油圧ポンプ２１の吐出流量を制御している。さらに、電磁比例弁５
によって油圧ポンプ２１の入力馬力を変化させると共に、コントローラ２によってエンジンモータ１の回転数を変化させて上記の各作業モードを切り換え、図２に示すような油圧ポンプの吐出圧力−吐出流量特性（Ｐ−Ｑ特性）を実現させている。
【００２６】
そして、ネガコンセンサ２６によってポンプ吐出量を制御し、さらに、ポンプ吐出圧センサ２３によってポンプ吐出圧Ｐの変動を検出して油圧ポンプ２１の吐出量を制御する。
【００２７】
図３は図１に示す制御装置が設けられた油圧ショベルの駆動系のブロック図である。内燃機関からなるエンジン３０と電動発電機からなるアシストモータ３４は、動力分配機であるスプリッタ３２に接続される。エンジン３０とアシストモータ３４とスプリッタ３２とで、図１に示すエンジンモータ１を構成する。可変容量式油圧ポンプ２１はスプリッタ３２に接続され、スプリッタ３２からの出力により駆動されて高圧の作動油を吐出する。
【００２８】
油圧ポンプ２１から吐出された作動油は、図１に示す切換弁２２ａ，２２ｂ，２２ｃからなるコントローラバルブ２２に送られ、コントロールバルブ２２から油圧シリンダや油圧モータ等の油圧負荷に供給される。油圧ポンプ２１には油圧出力を検出して制御するためのパイロット・ギアポンプ２１Ａが接続されている。このパイロット・ギアポンプ２１Ａで検出した圧力Ｐ及び吐出流量Ｑに基づいて、油圧ポンプ２１の軸出力側の出力（動力）Ｗｏｕｔを求めることができる。
【００２９】
アシストモータ３４はインバータ（ＩＮＶ）３６を介して蓄電器であるバッテリ３８に接続されている。アシストモータ３４はバッテリ３８から電力の供給を受けて駆動され、電動機として機能してエンジン３０をアシストする。また、アシストモータ３４はエンジンの動力をスプリッタ３２を介して受けることで、発電機として機能してバッテリ３８を充電する。電動モータや電動アクチュエータ等の電気負荷は、インバータ（ＩＮＶ）４０を介してバッテリ３８に接続され、バッテリ３８からの電力の供給を受けて作動する。
【００３０】
図３に示すシステムにおいて、エンジン３０，アシストモータ３４及び油圧ポンプ２１の作動は、コントローラ４２により制御される。特に、コントローラ４２は、油圧ポンプ２１の軸入力側の出力（動力）Ｗｉｎを精確に算出してアシストモータ３４の出力（アシスト量）を制御する。これにより、エンジン３０の出力を常に適切な値に維持し、エンジンの作動が異常とならないように且つ効率の良い範囲で運転されるように制御する。
【００３１】
ここで、コントローラ４２が油圧ポンプ２１の軸入力側の出力（動力）Ｗｉｎを算出する際に用いるアルゴリズムについて、図４を参照しながら説明する。
【００３２】
油圧負荷は油圧ポンプ出力（軸出力側）Ｗｏｕｔに相当し、油圧ポンプ２１の吐出圧力Ｐｉと吐出流量Ｑの積として算出される（Ｗｏｕｔ＝Ｐｉ×Ｑ）。吐出圧力Ｐｉとしては、油圧センサにより実測された値が用いられる。吐出流量Ｑは、ポンプ吐出量Ｖにポンプ回転速度（回転数）Ｎｐを乗じることで算出される。ポンプ吐出量Ｖは、油圧ポンプ２１の吐出圧力−吐出量特性を示すＰＱ線図に基づいて、吐出圧力Ｐｉと油圧ポンプ２１に供給する制御電流Ｉとから求めることができる。
【００３３】
以上のように、まず油圧ポンプ２１の吐出圧力Ｐｉとポンプ制限電流Ｉとを用いてポンプ馬力制御ＰＱ線図からポンプ吐出量Ｖを求め、求めたポンプ吐出量Ｖにポンプ回転速度（回転数）Ｎｐを乗じることで油圧ポンプ流量Ｑを算出する。そして、算出した油圧ポンプ流量Ｑに吐出圧力Ｐｉを乗じることで油圧ポンプ出力（軸出力側）Ｗｏｕｔを算出する。
【００３４】
次に、油圧ポンプ出力（軸出力側）Ｗｏｕｔを油圧ポンプ効率ηｏで割ることにより油圧ポンプ出力（軸入力側）Ｗｉｎを算出する。油圧ポンプ効率ηｏを考慮することで、油圧ポンプ出力（軸入力側）Ｗｉｎを精度良く求めることができる。油圧ポンプ効率ηｏは、油圧ポンプ２１の吐出圧力Ｐｉや傾斜板角度Ｋｉにより変動するが、変動範囲の平均値として固定値としてもよい。ただし、より精度よく油圧ポンプ出力（軸入力側）Ｗｉｎを算出するためには、油圧ポンプ２１の吐出圧力Ｐｉ及び傾斜板角度Ｋｉに基づいて油圧ポンプ効率ηｏを算出し、算出した値で油圧ポンプ出力（軸出力側）Ｗｏｕｔを割って油圧ポンプ出力（軸入力側）Ｗｉｎを算出することが好ましい。
【００３５】
油圧ポンプ効率ηｏは、吐出圧力Ｐｉと傾斜板角度Ｋｉとを用いて油圧ポンプ効率マップにより求めることができる。傾斜板角度Ｋｉは、上述のＰＱ線図から求めたポンプ吐出量Ｖをポンプ最大吐出量Ｖｍａｘで割ることにより算出する。すなわち、算出したポンプ吐出量Ｖと吐出圧力Ｐｉとを用いて油圧ポンプ効率マップにより油圧ポンプ効率ηｏを精度よく算出することができる。
【００３６】
油圧ポンプ効率マップは、予め吐出圧力と傾斜板角度を変えながら油圧ポンプを運転して効率を求めて作成する。図５は油圧ポンプ効率マップを示す図である。図５に示す例では、吐出圧力を縦軸にしてＰ１からＰｎまで変化させ、ポンプ傾斜板角度を横軸としてＫ１からＫｎまで変化させた際の、ポンプ効率の値がテーブル化されている。例えば、ポンプ傾斜板角度がＫｊで、ポンプ吐出圧力がＰｊであった場合、ポンプ傾斜板角度Ｋｊの列とポンプ吐出圧力Ｐｊの行の交点であるη（ｊ，ｊ）がポンプ効率として求められる。
【００３７】
ポンプ吐出圧力及びポンプ傾斜板角度がテーブル化された値ではなかった場合は、補間法により算出して求めることができる。図６は図５に示すポンプ効率マップを用いて補間法によりポンプ効率を求める際の演算処理のフローチャートである。図６に示す処理では、ポンプ吐出圧力がＰｊとＰｊ＋１の間の値であるＰｉであり、ポンプ傾斜板角度がＫｊとＫｊ＋１の間の値であるＫｉである場合のポンプ効率ηｏを線形補間により求めている。
【００３８】
まず、ステップＳ１−１において、ポンプ吐出圧力Ｐｉの前後の吐出圧力Ｐｊ及びＰｊ＋１を求める。これは図５のポンプ効率マップの（１）に相当する。吐出圧力ＰｊとＰｊ＋１の間が吐出圧力に関する補間区間となる。同様に、ステップＳ１−２において、ポンプ傾斜板角度Ｋｉの前後の傾斜板角度Ｋｊ及びＫｊ＋１を求める。これは図５のポンプ効率マップの（２）に相当する。傾斜板角度ＫｊとＫｊ＋１の間が傾斜板角度に関する補間区間となる。
【００３９】
次に、ステップＳ２において、吐出圧力Ｐｊと傾斜板角度Ｋｊによるポンプ効率η（ｊ，ｊ）を取得し、吐出圧力Ｐｊと傾斜板角度Ｋｊ＋１によるポンプ効率η（ｊ，ｊ＋１）を取得し、吐出圧力Ｐｊ＋１と傾斜板角度Ｋｊによるポンプ効率ηＷ（ｊ＋１，ｊ）を取得し、吐出圧力Ｐｊ＋１と傾斜板角度Ｋｊ＋１によるポンプ効率η（ｊ＋１，ｊ＋１）を取得する。これは図５のポンプ効率マップの（３）に相当する。
【００４０】
次に、ステップＳ３において、取得したポンプ効率η（ｊ，ｊ）とη（ｊ，ｊ＋１）とη（ｊ＋１，ｊ）とη（ｊ＋１，ｊ＋１）とを用いて以下の式によりポンプ効率η（ｉ，ｊ）とη（ｉ，ｊ＋１）を算出する。これは、図５における（４）に相当する。
η（ｉ，ｊ）＝η（ｊ，ｊ）−（Ｐｊ−Ｐｉ）（η（ｊ，ｊ）−η（ｊ＋１，ｊ））／（Ｐｊ−Ｐｊ＋１）
η（ｉ，ｊ＋１）＝η（ｊ，ｊ＋１）−（Ｐｊ−Ｐｉ）（η（ｊ，ｊ＋１）−η（ｊ＋１，ｊ＋１））／（Ｐｊ−Ｐｊ＋１）
続いて、ステップＳ４において、算出したポンプ効率η（ｉ，ｊ）とη（ｉ，ｊ＋１）を用いて以下の式によりポンプ効率ηｏを算出する。これは、図５における（５）に相当する。
ηｏ＝η（ｉ，ｊ）−（Ｋｊ−Ｋｉ）（η（ｉ，ｊ）−η（ｊ，ｊ＋１））／（Ｋｊ−Ｋｊ＋１）
以上のような演算処理により、ポンプ吐出圧力がＰｉでポンプ傾斜板角度がＫｉのときのポンプ効率ηｏを精度よく求めることができる。すなわち、ポンプ吐出圧力とポンプ傾斜板角度をパラメータとしてポンプ効率を求めることで、精度よくポンプ効率を算出することができる。
【００４１】
図４に示すように、演算により求めた油圧ポンプ出力（軸出力側）Ｗｏｕｔを、以上の演算処理により求めたポンプ効率ηｏで割ることで、油圧ポンプ出力（軸入力側）Ｗｉｎを精度よく推定し求めることができる。このようにして推定演算により算出した油圧ポンプ出力（軸入力側）Ｗｉｎは、油圧ポンプ２１に入力する動力に相当する。油圧ポンプ２１に入力する動力は、エンジン３０の出力とアシストモータ３４の出力の和であるから、エンジン３０の出力とアシストモータ３４の出力の和が求めた油圧ポンプ出力（軸入力側）Ｗｉｎとなるようにアシストモータ３０の出力を制御することで、エンジン３０の出力（すなわち、エンジン３０の負荷）を精度よく制御することができる。したがって、エンジン３０への負荷が常に適切な負荷となるように制御することができ、エンジン３０を効率のよい状態で運転することができる。
【００４２】
以上説明した油圧負荷推定アルゴリズムではネガティブコントロール圧力（ネガコン圧力Ｎｃ）が考慮されていないが、ネガコン圧力Ｎｃを考慮することで、より精度よく油圧ポンプ出力（軸入力側）Ｗｉｎを求めることができる。
【００４３】
図７はネガコン圧力Ｎｃを考慮して軸入力側の出力（動力）Ｗｉｎを算出する際に用いる油圧負荷算出アルゴリズムを示す図である。ネガコン圧力Ｎｃを考慮した場合、ポンプ吐出量Ｖを求めるまでの処理が図４に示す油圧負荷推定アルゴリズムと異なり、他の部分は同じであるので、ポンプ吐出量Ｖを求めるまでの処理について説明する。
【００４４】
ポンプ吐出量Ｖを求める際に、油圧ポンプ吐出圧力Ｐｉとポンプ制御電流ＩとからＰＱ線図を用いて馬力制御吐出量Ｖｐを求めるのと同時に、ネガコン圧力Ｎｃからネガコン制御吐出量Ｖｎを求める。なお、図４に示す油圧負荷推定アルゴリズムでは、馬力制御吐出量Ｖｐをそのままポンプ吐出量Ｖとしている。
【００４５】
図７に示すＰＱ線図において、横軸が吐出圧力Ｐを表し、縦軸が馬力制御吐出量Ｖｐを表す。油圧ポンプ２１の吐出圧力Ｐと馬力制御吐出量Ｖｐとは反比例の関係にあり、ＰＱ線図はポンプ制御電流Ｉによって変化する。このＰＱ線図において、ポンプ制御電流Ｉと吐出圧力Ｐとが決まれば、馬力制御吐出量Ｖｐを求めることができる。
【００４６】
ネガコン制御吐出量Ｖｎは、ネガティブコントロール圧−吐出量特性線図に基づいて、ネガティブコントロール圧力（ネガコン圧）Ｎｃから求めることができる。図７に示すネガコン圧−吐出量特性線図にネガコン圧を入れることで、ネガコン制御吐出量Ｖｎを求めることができる。
【００４７】
ポンプ吐出量Ｖは、上述の馬力制御吐出量Ｖｐとネガコン制御吐出量Ｖｎのうちいずれか小さい方となる。このようにして求めたポンプ吐出量Ｖを、油圧ポンプ出力（軸出力側）Ｗｏｕｔの算出及び油圧ポンプ効率ηｏの算出に用いることで、より精度よく油圧ポンプ出力（軸入力側）Ｗｉｎを算出することができる。
【００４８】
以上説明した油圧負荷推定アルゴリズムでは、油圧ポンプ効率を用いて油圧ポンプ出力（軸出力）Ｗｏｕｔから油圧ポンプ出力（軸入力側）Ｗｉｎを算出したが、油圧ポンプ２１の駆動トルクＴと油圧ポンプ２１の回転数Ｎｐとから直接に油圧ポンプ出力（軸入力側）Ｗｉｎを算出することとしてもよい。
【００４９】
図８は油圧ポンプ２１の駆動トルクＴと油圧ポンプ２１の回転数Ｎｐとから直接に油圧ポンプ出力（軸入力側）Ｗｉｎを算出する油圧負荷推定アルゴリズムを示す図である。
【００５０】
油圧ポンプ２１の駆動トルクＴは、油圧ポンプ２１の駆動軸にトルクセンサを設けて測定することができる。スプリッタ３２の出力軸にトルクセンサを設けて油圧ポンプ２１の駆動トルクＴを測定してもよい。すなわち、エンジン３０の動力を油圧ポンプ２１に供給する連結軸にトルクセンサを設け、トルクセンサの検出値から油圧ポンプ２１の入力側の動力を算出する。
【００５１】
油圧ポンプ２１の回転速度（回転数）Ｎｐは、油圧ポンプ２１出力軸にエンコーダ等を設けることで測定することができる。油圧ポンプ２１の駆動トルクＴに回転速度Ｎｐを乗じることで、油圧ポンプ出力（軸入力側）Ｗｉｎを算出することができる。
【００５２】
以上説明した図４、７、８に示す油圧負荷推定アルゴリズムを用いて油圧ポンプ出力（軸入力側）Ｗｉｎを精度よく算出して、アシストモータ３４のアシスト量を制御することにより、エンジン３０の負荷を常に適切にすることができる。したがって、エンジン３０への過負荷が防止され、常に効率のよい条件で運転することができる。
【００５３】
すなわち、アシストモータ３４の出力（電動状態を正の値とした場合）が、可変容量式油圧ポンプ２１の出力（軸入力側）Ｗｉｎとエンジン３０の出力Ｗｅとの差分に等しくなるように制御する（Ｗａ＝Ｗｉｎ−Ｗｅ）。また、油圧ポンプ２１の出力Ｗｉｎがエンジン３０の出力Ｗｅとアシストモータ３４の出力Ｗａとの和より大きくなると（ＷＷｉｎ＞Ｗｅ＋Ｗａ）、エンジン３０に過大な負荷が加わることとなるので、アシストモータ３４の最大出力Ｗａｍａｘが、可変容量式油圧ポンプ２１の出力Ｗｉｎとエンジンの最大出力Ｗｅｍａｘの差分より大きくなるように制御する（Ｗａｍａｘ＞Ｗｉｎ−Ｗｅｍａｘ）。ここで、電動状態にあるアシストモータ３４の最大出力Ｗａｍａｘは、電気負荷に出力要求Ｗｏｕｔがある場合にバッテリ３８の最大出力Ｗｂａｍａｘを考慮すると、バッテリ３８の最大出力Ｗｂｍａｘと電気負荷の出力要求Ｗｏｕｔとの差分より小さい範囲に制限される（Ｗａｍａｘ＜Ｗｂｍａｘ−Ｗｏｕｔ）。
【００５４】
以上の説明では、油圧ポンプ２１の駆動をネガティブコントロール（略して、ネガコン制御）に基づいて制御しているが、油圧ポンプ２１の駆動制御方法には、ネガコン制御の他に、ポジティブコントロール（略して、ポジコン制御）及びロードセンシング制御という駆動制御方法がある。
【００５５】
まず、ポジコン制御により油圧ポンプ２１の駆動を制御する場合について説明する。図９はポジコン制御を行なうようにポンプの制御回路が構成された場合において、軸入力側の出力（動力）Ｗｉｎを算出する際に用いる油圧負荷推定アルゴリズムを示す図である。ポジコン制御を行なう場合、ポンプ吐出量Ｖを求めるまでの処理が、図７に示すネガコン制御を行なう場合の油圧負荷推定アルゴリズムと異なり、他の部分は同じであるので、ポンプ吐出量Ｖを求めるまでの処理について説明する。
【００５６】
ポジコン制御を行なう場合には、油圧駆動部を駆動するために運転者が操作する操作レバーのレバー操作量θ１，θ２，・・・から、各操作レバーの操作量に応じた油圧ポンプ２１に要求される吐出量ＶＬ１，ＶＬ２，・・・が、レバー操作量θ１，θ２，・・・と吐出量ＶＬ１，ＶＬ２，・・・との関係を示すマップから求められる。そして、全ての吐出量ＶＬ１，ＶＬ２，・・・を加算したものが、油圧ポンプ２１に要求される要求吐出量ＶＬとなる。
【００５７】
そして、ポンプ吐出量Ｖは、馬力制御吐出量Ｖｐと要求吐出量ＶＬのうちいずれか小さい方となる。このようにして求めたポンプ吐出量Ｖを、油圧ポンプ出力（軸出力側）Ｗｏｕｔの算出及び油圧ポンプ効率ηｏの算出に用いることで、図７に示すアルゴリズムを用いて油圧ポンプ出力（軸入力側）Ｗｉｎを算出することができる。
【００５８】
次に、ロードセンシング制御により油圧ポンプ２１の駆動を制御する場合について説明する。図１０はロードセンシング制御を行なうようにポンプの制御回路が構成された場合において、軸入力側の出力（動力）Ｗｉｎを算出する際に用いる油圧負荷算出アルゴリズムを示す図である。ポジコン制御を行なう場合、ポンプ吐出量Ｖを求めるまでの処理が、図４に示す油圧負荷推定アルゴリズムと異なり、他の部分は同じであるので、ポンプ吐出量Ｖを求めるまでの処理について説明する。
【００５９】
ロードセンシング制御を行なう場合には、図４における油圧ポンプ吐出圧力Ｐｉを、最大負荷圧力Ｐｍａｘに差圧ΔＰを加算した値とする。差圧ΔＰはポンプの吐出量にある程度余裕を持たせるために加算するものであり、一定の値としても可変値としてもよい。そして、ポンプ吐出量Ｖは、油圧ポンプ２１の吐出圧力−吐出量特性を示すＰＱ線図に基づいて、上述のようにして求められた油圧ポンプ吐出圧力Ｐｉと油圧ポンプ２１に供給する制御電流Ｉとから求める。このようにして求めたポンプ吐出量Ｖを、油圧ポンプ出力（軸出力側）Ｗｏｕｔの算出及び油圧ポンプ効率ηｏの算出に用いることで、図４に示すアルゴリズムを用いて油圧ポンプ出力（軸入力側）Ｗｉｎを算出することができる。
【００６０】
次に、本発明の他の実施形態について図面を参照しながら説明する。本実施形態では、本発明による出力制限方法が図１に示す油圧ショベルに適用されたものとして説明する。なお、本発明が適用されるハイブリッド式作業機械は、油圧ショベルに限定されるものではない。
【００６１】
図３に示すようなハイブリッドシステムにおいて、油圧負荷が増大してエンジン３０に過大な負荷がかった場合、油圧ポンプ２１の出力を制限して油圧ポンプ２１がエンジン３０に要求する出力（すなわち、エンジン３０への負荷）を低減する必要がある。油圧ポンプ２１は可変容量式油圧ポンプであり、油圧ポンプ２１に供給する制御電流を調整することで油圧ポンプ２１の出力を調整することができる。
【００６２】
以上のように、エンジン３０に過大な負荷がかかる場合は、制限電流を調整して油圧ポンプ２１の出力を下げることで、エンジン３０への負荷を低減することができる。ここで、油圧ポンプ２１の出力を下げる場合は、油圧負荷の要求をなるべく満足するように出力を下げ過ぎないようにする必要があり、スプリッタ３２からの実際の出力（エンジン３０の出力とアシストモータ３４の出力との和に相当する）を精度良く制御する必要がある。スプリッタ３２からの実際の出力は油圧ポンプ２１にそのまま入力されるので、油圧ポンプのポンプ効率が一定であると仮定すると、スプリッタ３２からの実際の出力は油圧ポンプ２１の出力に相当するとみなすことができる。
【００６３】
そこで、スプリッタ３２からの現在の出力を油圧ポンプ２１の現在の出力Ｗｉとすると、油圧ポンプ２１の現在の出力Ｗｉがエンジン３０の出力Ｗｅとアシストモータ３４の出力Ｗａとの和より大きくなると（Ｗｉ＞Ｗｅ＋Ｗａ）、エンジン３０に過大な負荷が加わることとなる。油圧ポンプ２１の現在の出力Ｗｉの超過分ΔＷｒは、Ｗｉ−（Ｗｅ＋Ｗａ）として求められる。ここで、エンジン出力Ｗｅは、エンジン３０の回転数とトルクから、あるいは、エンジン３０の燃料噴射量から求めることができる。また、アシストモータ出力Ｗａは、アシストモータ３４の回転数とトルクから求めることができる。
【００６４】
したがって、油圧ポンプ２１の現在の出力Ｗｉの超過分ΔＷｒが正の値となった場合（ΔＷｒ＞０）、エンジンに過大な負荷がかかっていると判断して、油圧ポンプ２１の出力を制限する。油圧ポンプ２１の出力の制限量は、出力超過分ΔＷｒに等しい。すなわち、出力超過分ΔＷｒはポンプ出力制限量に相当し、ポンプ出力制限量の目標値を出力超過分ΔＷｒとする。
【００６５】
油圧ポンプ２１の出力は供給する制御電流Ｉ（以下、ポンプ電流Ｉと称する）により調整できるから、上述の出力超過分ΔＷｒに相当する分だけポンプ電流Ｉを変更（小さく制限）すればよい。したがって、ポンプ出力制限量ΔＷｒから、油圧ポンプ２１のポンプ電流制限量ΔＩを求め、現在のポンプ電流Ｉからポンプ電流制限量ΔＩを引くことで、制限後のポンプ電流Ｉｏを求めることができる。以上のようなアルゴリズムを用いることで、ポンプ出力制限量ΔＷｒから制限後のポンプ電流Ｉｏを精度良く求めることができる。
【００６６】
ここで、制限後のポンプ電流Ｉｏは以下の方法で算出することができる。
【００６７】
１）線形補間による算出方法
ポンプ出力制限量ΔＷｒを用いて、ΔＷとΔＩの関係に基づく線形補間により、制御後のポンプ電流Ｉｏを算出する。
【００６８】
【数１】
2010061837.tif 000003
２）ポンプトルクマップ（Ｐ−Ｔマップ）による算出方法
ポンプ出力制限量ΔＷｒとポンプトルク制限量ΔＴｒの関係から、制御後のポンプ電流Ｉｏを算出する。
【００６９】
【数２】
2010061837.tif 000004
３）ポンプ吐出量マップ（Ｐ−Ｑマップ）による算出方法                   
ポンプ出力制限量ΔＷｒとポンプ吐出量ΔＱｒの関係から、制御後のポンプ電流Ｉｏを算出する。
【００７０】
【数３】
2010061837.tif 000005
次に、１）線形補間による算出方法について詳細に説明する。図１１は線形補間によるポンプ電流制限量の算出アルゴリズムを説明するための図である。
【００７１】
まず、ポンプ出力制限量ΔＷとポンプ電流制限量ΔＩの関係
【００７２】
【数４】
2010061837.tif 000006
を示す線図（Ｐ−Ｗ線図）を求める。
【００７３】
制限前のポンプ電流Ｉｉから最小ポンプ電流（固定値）Ｉｍｉｎを引くことにより最大ポンプ電流制限量ΔＩｍａｘを求める（ΔＩｍａｘ＝Ｉｉ−Ｉｍｉｎ）。ΔＩｍａｘは、現在のポンプ電流Ｉｉをどれだけ小さくできるかを示す値である。
【００７４】
次に、最小ポンプ電流Ｉｍｉｎとポンプ吐出圧Ｐｉとネガコン圧Ｎｃとからポンプ最小出力Ｗｍｉｎを演算により求める。この演算はポンプ出力演算部により行なわれる。図１２はポンプ出力演算部の機能構成図である。ポンプ出力演算部はポンプ電流Ｉに対するポンプ出力Ｗを演算する部分である。ポンプ出力演算部にはポンプ電流Ｉと共に油圧ポンプ圧力Ｐｉとネガコン圧力ＮＣが入力される。
【００７５】
ポンプ出力演算部は、最小ポンプ電流Ｉｍｉｎから最大ポンプ電流Ｉｍａｘまでの間の各ポンプ電流におけるポンプ吐出圧Ｐと油圧ポンプ吐出流量との関係を示すマップ（油圧ポンプ２１の吐出圧力−吐出量特性を示すＰＱ線図）を有しており、入力されたポンプ電流Ｉと油圧ポンプ圧力Ｐｉとから、油圧ポンプ吐出量を求める。また、ポンプ出力演算部は、ネガコン圧力Ｎｃとネガコン制御吐出流量との関係を示すマップ（ネガティブコントロール圧−吐出量特性図）を有しており、入力されたネガコン圧力Ｎｃからネガコン制御吐出流量を求める。そして、ポンプ出力演算部は、求められた油圧ポンプ吐出流量とネガコン制御吐出流量とのうちいずれか少ないほうをポンプ吐出流量Ｑとする。ポンプ演算部は、求められたポンプ吐出流量に油圧ポンプ圧力Ｐｉを掛け合わせ、これをポンプ効率ηで割ることによりポンプ出力Ｗを算出し、出力する。
【００７６】
なお、本実施形態ではネガコン制御を行なう場合について説明しているが、図９で示すようにポジコン制御を行なう場合、あるいは、図１０に示すようにロードセンシング制御を行なう場合にも、本実施形態によるポンプ出力制御方法を適用することができる。
【００７７】
以上のような演算を行なうポンプ出力演算部に、最小ポンプ電流Ｉｍｉｎと、ポンプ吐出圧Ｐｉとネガコン圧力Ｎｃとを入力することで、ポンプ最小出力Ｗｍｉｎを求めることができる。そして、図１１に示すように、制限前のポンプ出力Ｗｉからポンプ最小出力Ｗｍｉｎを引くことにより最大出力制限量ΔＷｍａｘを求める（ΔＷｍａｘ＝Ｗｉ−Ｗｍｉｎ）。
【００７８】
また、油圧ポンプの現在の出力Ｗｉも同様に、上述のポンプ出力演算部を用いて算出される。この場合、現在のポンプ電流値Ｉｉを油圧ポンプ２１の吐出圧力−吐出量特性を示すＰＱ線図に入力し、現在の油圧ポンプ吐出量を求め、現在のポンプ出力Ｗｉが算出される。このように、現在のポンプ電流値Ｉｉを基にポンプ出力演算部で算出された現在のポンプ出力Ｗｉを用いて、出力超過分ΔＷｒは求められる。
【００７９】
図１１におけるＰ−Ｗ線図において、以上のようにして求められた最大ポンプ電流制限量ΔＩｍａｘと最大出力制限量とにより決まる点Ａと原点とを結ぶ直線がポンプ電流制限量ΔＩとポンプ出力制限量ΔＷｒとの関係を示すものとしてＰ−Ｗ線図に設定する。したがって、このＰ−Ｗ線図に目標値としてのポンプ出力制限量ΔＷｒを入れることにより、直線上の点Ｂを介してポンプ電流制限量Ｉｏが求められる。すなわち、ポンプ電流制限量Ｉｏを以下の演算により求めることができる。
【００８０】
ΔＩｏ＝ΔＩｍａｘ−（ΔＩｍａｘ／ΔＷｍａｘ）×（ΔＷｍａｘ−ΔＷｒ）
そして、制限前のポンプ電流Ｉｉに、以上のようにして求められたポンプ電流制限量ΔＩｏを加えることで制限後のポンプ電流Ｉｏを求めることができる（Ｉｏ＝Ｉｉ＋ΔＩｏ）。
【００８１】
以上のようにして求めたポンプ電流（制限電流）Ｉｏに基づいて斜板２１ａの傾転角を変更し、油圧ポンプ２１に供給して、油圧ポンプ２１の出力を制限することで、油圧ポンプ２１の出力を、現在の出力Ｗｉの超過分ΔＷｒだけを差し引いた出力にすることができ、エンジン３０にかかる過大な負荷を適度に抑制することができる。さらに、以上のようにして求められたポンプ電流（制限電流）Ｉｏを図４及び図１２に示すポンプ出力演算部へポンプ電流Ｉとして入力することで、制限後のポンプ電流（制限電流）Ｉｏに基づく油圧ポンプ入力側出力を求めることができる。これにより、アシストモータ３４のアシスト量を精確に算出することができる。したがって、蓄電器であるバッテリ３８からの過度の放電を防止でき、長時間の運転ができる。
【００８２】
なお、図１１におけるＰ−Ｗ線図は、図１３に示すように最大ポンプ電流制限量ΔＩｍａｘ（電流をどれだけ下げられるか）と最大出力制限量ΔＷｍａｘ（ネガコン圧力Ｎｃを考慮した値）に基づいて決定される。図１３において、使用例１と使用例２では、Ｐ−Ｗ線の傾きが異なっており、求められるポンプ電流制限量ΔＩｏも異なることがわかる。したがって、上述の線形補間による算出方法を用いることにより、現在のポンプ電流Ｉの値とネガコン圧力Ｎｃの影響を考慮した油圧ポンプ２１の出力制限を行なうことができる。
【００８３】
次に、２）ポンプトルクマップ（Ｐ−Ｔマップ）による算出方法について詳細に説明する。この算出方法では、ポンプ吐出圧Ｐとポンプ電流Ｉとから決まるポンプトルクＴをマップ化したポンプトルクマップ（Ｐ−Ｔマップ）を準備しておき、Ｐ−Ｔマップを用いて制限後のポンプ電流Ｉｏを算出する。
【００８４】
図１４はポンプ電流Ｉにより決まるポンプ吐出圧Ｐとポンプ駆動トルクＴの関係を示す線図から、Ｐ−Ｔマップのテーブルを作成することを説明する図である。ポンプ電流Ｉを一定にすると、ポンプ吐出圧Ｐを得るためのポンプ駆動トルクＴが決まる。図１４に示す線図は、ポンプ電流をＩ１〜Ｉｍまでの間で変えて各ポンプ電流により決まるポンプ吐出圧Ｐとポンプ駆動トルクＴの関係を示している。この線図の関係からＰ−Ｔマップをテーブル化する。テーブルには、ポンプ電流Ｉ１〜Ｉｍの各々において、ポンプ吐出圧Ｐ１〜Ｐｎを得るために必要なポンプ駆動トルクＴが示されている。例えば、ポンプ電流をＩｊに設定しているときにポンプ吐出圧Ｐｉを得るためには、Ｉｊの列とＰｉの列とが交わる部分に示されたポンプ駆動トルクＴｊｉにすればよいことが、テーブル化したＰ−Ｔマップから知ることができる。
【００８５】
図１５は図１４に示すＰ−Ｔマップテーブルを用いてポンプ出力制限量ΔＷｒから制限後のポンプ電流Ｉｏを求める処理のフローチャートである。図１６は図１５に示す処理の各ステップに対応する部分が示されたＰ−Ｔマップテーブルである。
【００８６】
まず、ステップＳ１−１において、ポンプ吐出圧Ｐｉと制限前のポンプ電流Ｉｉとから制限前のポンプトルクＴｉｉを求める。これは図１６に示すポンプトルクマップテーブルの（１）に相当する。同時にステップＳ１−２において、ポンプ出力制限量ΔＷｒとポンプ回転数Ｎｐとからポンプトルク量制限量ΔＴｒを算出する。ポンプトルク量制限量ΔＴｒは、ポンプ出力制限量ΔＷｒをポンプ回転数Ｎｐで割った値である（ΔＴｒ＝ΔＷｒ／Ｎｐ）。
【００８７】
次に、ステップＳ２において、ステップＳ１−１で求めた制御前のポンプトルクＴｉｉとステップＳ１−２で算出したポンプトルク量制限量ΔＴｒとから、制御後のポンプトルクＴｏを算出する。制御後のポンプトルクＴｏは、制御前のポンプトルクＴｉｉからポンプトルク量制限量ΔＴｒを引いた値である（Ｔｏ＝Ｔｉｉ−ΔＴｒ）。ここで得られたポンプトルクＴｏは、図１６の（２）に示すようにポンプトルクＴｊｉとＴｊ＋１，ｉとの間の値であるとする。
【００８８】
次に、ステップＳ３において、Ｐ−Ｔマップテーブルの中でポンプトルクＴｏの上下のポンプトルクＴｊｉとＴｊ＋１，ｉとを求める。図１６において、ポンプトルクＴｊｉとＴｊ＋１，ｉは（３）で示されている。ポンプトルクＴｊｉとポンプトルクＴｊ＋１，ｉとの間がトルクの補間区間となる。
【００８９】
そして、ステップＳ４において、ポンプトルクＴｊｉに対応するポンプ電流Ｉｊを求め、且つポンプトルクＴｊ＋１，ｉに対応するポンプ電流Ｉｊ＋１を求める。図１６において、ポンプ電流ＩｊとＩｊ＋１は（４）で示されている。ポンプ電流Ｉｊとポンプ電流Ｉｊ＋１との間が電流の補間区間となる。
【００９０】
次に、ステップＳ５において、制限後のポンプ電流Ｉｏを補間により算出する。制限後のポンプ電流Ｉｏの算出は以下の式により行なう。
【００９１】
Ｉｏ＝Ｉｊ−（Ｉｊ−Ｉｊ＋１）（Ｔｊｉ−Ｔｏ）／（Ｔｊｉ−Ｔｊ＋１，ｉ）
＝Ｉｊ−（Ｉｊ−Ｉｊ＋１）ΔＴｒ／（Ｔｊｉ−Ｔｊ＋１，ｉ）
図１６において、この式により求められた制限後のポンプ電流Ｉｏは（５）で示されている。
【００９２】
以上のように、ポンプトルクマップテーブルを用いることで、ポンプ出力制限量ΔＷｒから制限後のポンプ電流Ｉｏを容易に求めることができる。このポンプ電流Ｉｏに基づいて斜板２１ａの傾転角を変更し、油圧ポンプ２１の出力を制限することができる。さらに、制限後の電流Ｉｏをポンプ出力演算部へ入力して、制限後のポンプ電流（制限電流）Ｉｏに基づく油圧ポンプ入力側出力を求めることができる。
【００９３】
次に、３）ポンプ吐出量マップ（Ｐ−Ｑマップ）による算出方法について詳細に説明する。この算出方法では、ポンプ吐出圧Ｐとポンプ電流Ｉとから決まるポンプ吐出量Ｑをマップ化したポンプ吐出量マップ（Ｐ−Ｑマップ）を準備しておき、Ｐ−Ｑマップを用いて制限後のポンプ電流Ｉｏを算出する。
【００９４】
図１７はポンプ電流Ｐにより決まるポンプ吐出圧Ｐとポンプ吐出量Ｑの関係を示す線図から、Ｐ−Ｑマップのテーブルを作成することを説明する図である。ポンプ電流Ｉを一定にすると、ポンプ吐出圧Ｐを得るためのポンプ吐出量Ｑ決まる。図１７に示す線図は、ポンプ電流をＩ１〜Ｉｍまでの間で変えて各ポンプ電流により決まるポンプ吐出圧Ｐとポンプ吐出量Ｑの関係を示している。この線図の関係からＰ−Ｑマップをテーブル化する。テーブルには、ポンプ電流Ｉ１〜Ｉｍの各々において、ポンプ吐出圧Ｐ１〜Ｐｎを得るために必要なポンプ吐出量Ｑが示されている。例えば、ポンプ電流をＩｊに設定しているときにポンプ吐出圧Ｐｉを得るためには、Ｉｊの列とＰｉの列とが交わる部分に示されたポンプ吐出量Ｑｊｉにすればよいことが、テーブル化したＰ−Ｑマップから知ることができる。
【００９５】
図１８は図１６に示すＰ−Ｑマップテーブルを用いてポンプ出力制限量ΔＷｒから制限後のポンプ電流Ｉｏを求める処理のフローチャートである。図１９は図１８に示す処理の各ステップに対応する部分が示されたＰ−Ｑマップテーブルである。
【００９６】
まず、ステップＳ１１−１において、ポンプ吐出圧Ｐｉと制限前のポンプ電流Ｉｉとから制限前のポンプ吐出量Ｑｉｉを求める。これは図１９に示すＰ−Ｑマップテーブルの（１）に相当する。同時にステップＳ１１−２において、ポンプ出力制限量ΔＷｒとポンプ吐出圧Ｐｉとポンプ回転数Ｎｐとからポンプ吐出量制限量ΔＱｒを算出する。ポンプ吐出量制限量ΔＱｒは、ポンプ出力制限量ΔＷｒをポンプ吐出圧Ｐｉとポンプ回転数Ｎｐとで割った値である（ΔＴｒ＝ΔＷｒ／Ｐｉ／Ｎｐ）。
【００９７】
次に、ステップＳ１２において、ステップＳ１１−１で求めた制御前のポンプ吐出量ＱｉｉとステップＳ１１−２で算出したポンプ吐出量制限量ΔＱｒとから、制御後のポンプ吐出量Ｑｏを算出する。制御後のポンプ吐出量Ｑｏは、制御前のポンプ吐出量Ｑｉｉからポンプ吐出量制限量ΔＱｒを引いた値である（Ｑｏ＝Ｑｉｉ−ΔＱｒ）。ここで得られたポンプ吐出量Ｑｏは、図１９の（２）に示すようにポンプ吐出量ＱｊｉとＱｊ＋１，ｉとの間の値であるとする。
【００９８】
次に、ステップＳ１３において、Ｐ−Ｑマップテーブルの中でポンプ吐出量Ｑｏの上下のポンプ吐出量ＱｊｉとＱｊ＋１，ｉとを求める。図１９において、ポンプ吐出量ＱｊｉとＱｊ＋１，ｉは（３）で示されている。ポンプ吐出量Ｑｊｉとポンプ吐出量Ｑｊ＋１，ｉとの間がポンプ吐出量の補間区間となる。
【００９９】
そして、ステップＳ１４において、ポンプ吐出量Ｑｊｉに対応するポンプ電流Ｉｊを求め、且つポンプ吐出量Ｑｊ＋１，ｉに対応するポンプ電流Ｉｊ＋１を求める。図１９において、ポンプ電流ＩｊとＩｊ＋１は（４）で示されている。ポンプ電流Ｉｊとポンプ電流Ｉｊ＋１との間が電流の補間区間となる。
【０１００】
次に、ステップＳ１５において、制限後のポンプ電流Ｉｏを補間により算出する。制限後のポンプ電流Ｉｏの算出は以下の式により行なう。
【０１０１】
Ｉｏ＝Ｉｊ−（Ｉｊ−Ｉｊ＋１）（Ｑｊｉ−Ｑｏ）／（Ｑｊｉ−Ｑｊ＋１，ｉ）
＝Ｉｊ−（Ｉｊ−Ｉｊ＋１）ΔＱｒ／（Ｑｊ＋１，ｉ）
図１９において、この式により求められた制限後のポンプ電流Ｉｏは（５）で示されている。
【０１０２】
以上のように、Ｐ−Ｑトルクマップテーブルを用いることで、ポンプ出力制限量ΔＷｒから制限後のポンプ電流Ｉｏを容易に求めることができる。このポンプ電流Ｉｏに基づいて斜板２１ａの傾転角を変更し、油圧ポンプ２１の出力を制限することができる。さらに、制限後の電流Ｉｏをポンプ出力演算部へ入力して、制限後のポンプ電流（制限電流）Ｉｏに基づく油圧ポンプ入力側出力を求めることができる。
【０１０３】
そして、上述した１）２）３）のいずれかの算出方法により求めたポンプ電流Ｉｏを可変容量式油圧ポンプ２１に供給しながら、アシストモータ３４の出力（電動状態を正の値とした場合）が、可変容量式油圧ポンプ２１の出力Ｗｈｙｄとエンジン３０の出力Ｗｅとの差分に等しくなるように制御する（Ｗａ＝Ｗｈｙｄ−Ｗｅ）。また、油圧ポンプ２１の出力Ｗｈｙｄがエンジン３０の出力Ｗｅとアシストモータ３４の出力Ｗａとの和より大きくなると（Ｗｈｙｄ＞Ｗｅ＋Ｗａ）、エンジン３０に過大な負荷が加わることとなるので、ポンプ電流Ｉｏにより可変容量式油圧ポンプ２１の出力Ｗｈｙｄを制限し、可変容量式油圧ポンプ２１の出力Ｗｈｙｄとアシストモータ３４の最大出力Ｗａｍａｘの差分が、エンジンの最大出力Ｗｅｍａｘより小さくなるように制御する（Ｗｅｍａｘ＞Ｗｈｙｄ−Ｗａｍａｘ）。ここで、電動状態にあるアシストモータ３４の最大出力Ｗａｍａｘは、電気負荷に出力要求Ｗｏｕｔがある場合にバッテリの最大出力Ｗｂｍａｘを考慮すると、バッテリの最大出力Ｗｂｍａｘと電気負荷の出力要求Ｗｏｕｔとの差分より小さい範囲に制限される（Ｗａｍａｘ＜Ｗｂｍａｘ−Ｗｏｕｔ）。
【０１０４】
ここで、上述    した本発明の実施の形態及び本発明の他の実施の形態を用いて、各油圧負荷算出アルゴリズムに基づいて求められた油圧負荷に基づいて、エンジン及びバッテリからの動力を分配する動力分配処理を用いる場合において、その一例について説明する。以下に説明する例は、図４に示す油圧負荷算出アルゴリズムを用いて油圧ポンプ出力（軸入力側）を推定演算により求めた場合である。油圧ポンプ出力（軸入力側）を精度よく算出して、アシストモータ３４のアシスト量を制御することにより、エンジン３０の負荷を常に適切にすることができる。したがって、エンジン３０への過負荷が防止され、常に効率のよい条件で運転することができる。なお、動力分配処理はコントローラ４２により行なわれる。
【０１０５】
図２０は、コントローラ４２の動力分配処理の一例を示す制御ブロック図である。コントローラ４２には、ポンプ制御電流Ｉ、ポンプ吐出圧力Ｐｉ、旋回用電動機要求出力Ｐｅｒ、エンジン回転数Ｎａｃｔ、及びバッテリ電圧Ｖｍが入力される。
【０１０６】
旋回用電動機要求出力Ｐｅｒは、電気負荷が必要とする電気的パワーに相当する。例えば、旋回用電動機要求出力Ｐｅｒは、例えば、操縦者が操作する操作レバーの操作量に基づいて算出される。
【０１０７】
エンジン回転数Ｎａｃｔは、エンジン３０の実際の回転数に相当する。エンジン３０は、油圧ショベルの運転時には常時駆動されており、その回転数Ｎａｃｔが検出されている。バッテリ電圧Ｖｍは、バッテリ３８の端子間電圧に相当し、電圧計により検出される。
【０１０８】
ポンプ制御電流Ｉ及びポンプ吐出圧力Ｐｉは、油圧負荷推定演算部５０に入力される。油圧負荷推定演算部５０は、ポンプ制御電流Ｉ及びポンプ吐出圧力Ｐｉを用いて、上述の油圧負荷算出アルゴリズムにより、油圧負荷として油圧ポンプ出力Ｗｉｎを算出する。算出した油圧ポンプ出力Ｗｉｎは動力分配部６０に供給される。
【０１０９】
エンジン回転数Ｎａｃｔは、エンジン出力範囲決定部５２に入力される。エンジン出力範囲決定部５２には、エンジン回転数Ｎａｃｔから、エンジン出力上限値及びエンジン出力下限値を求めるためのマップ又は変換テーブルが格納されている。エンジン出力範囲決定部５４は、入力されたエンジン回転数Ｎａｃｔから、エンジン出力上限値Ｐｇｏｕ及びエンジン出力下限値Ｐｇｏｌを算出し、動力分配部６０に供給する。
【０１１０】
バッテリ電圧Ｖｍ及び目標ＳＯＣは、バッテリ出力決定部５４に入力される。バッテリ出力決定部５４は、バッテリ出力範囲決定部５４Ａ，バッテリ出力目標値決定部５４Ｂ，及び、充電状態算出部５４Ｃを含む。充電状態算出ブロック５４Ｃは、入力されたバッテリ電圧Ｖｍから充電状態（ＳＯＣ）を算出する。算出されたＳＯＣは、バッテリ出力範囲決定部５４Ａ及びバッテリ出力目標値決定部５４Ｂに与えられる。
【０１１１】
バッテリ出力範囲決定部５４Ａには、ＳＯＣからバッテリ出力上限値及び下限値を算出するためのマップ又は変換テーブルが格納されている。バッテリ出力目標値決定部５４Ｂには、ＳＯＣ及び目標ＳＯＣからバッテリ出力目標値を算出するためのマップ又は変換テーブルが格納されている。このマップ又は変換テーブルは、例えば、入力されたＳＯＣと目標ＳＯＣとの間の偏差と、バッテリ出力目標値との関係を定義するものであってよい。なお、目標ＳＯＣは、任意の態様で決定されてよく、通常時は（即ち後述の内部抵抗計測パターンとして目標ＳＯＣのパターンが生成される場合を除く通常時は）、固定値であってもよいし、可変値であってもよい。バッテリ出力範囲決定部５４Ａは、ＳＯＣから第１のバッテリ出力上限値及び下限値Ｐｂｏｕ０，Ｐｂｏｌ０を求め、動力分配部６０に供給する。バッテリ出力目標値決定ブロック５４Ｂは、入力されたＳＯＣ及び目標ＳＯＣから第１のバッテリ出力目標値Ｐｂｏｔ０を算出し、動力分配部６０に供給する。
【０１１２】
第１のバッテリ出力上限値Ｐｂｏｕ０は、放電電力の上限値に相当する。第１のバッテリ出力下限値Ｐｂｏｌ０は、負であり、その絶対値は、充電電力の上限値に相当する。第２のバッテリ出力上限値及び下限値Ｐｂｏｕ１，Ｐｂｏｌ１により、バッテリ１９の入出力電圧の適正範囲が定義される。例えば、バッテリ３８の内部抵抗計測結果に基づいてバッテリ３８の劣化が検出されない場合は、Ｐｂｏｕ１＝Ｐｂｏｕ０，Ｐｂｏｌ１＝Ｐｂｏｌ０とされる一方、バッテリ３８の劣化が検出された場合は、Ｐｂｏｕ１＜Ｐｂｏｕ０，Ｐｂｏｌ１＞Ｐｂｏｌ０とされる。
【０１１３】
動力分配部６０は、油圧負荷要求出力Ｐｈｒ，旋回用電動機要求出力Ｐｅｒ，エンジン出力上限値Ｐｇｏｕ及びエンジン出力下限値Ｐｇｏｌ、第１のバッテリ出力上限値及び下限値Ｐｂｏｕ０，Ｐｂｏｌ０及び第１のバッテリ出力目標値Ｐｂｏｔ０に基づいて、最終的な油圧負荷出力Ｐｈｏ、アシストモータ３４に対する電動発電機出力Ｐａｏ、及び、電気負荷出力Ｐｅｏを決定する。この際、動力分配部６０は、エンジン出力がエンジン出力上限値Ｐｇｏｕ及びエンジン出力下限値Ｐｇｏｌにより定義される範囲内に収まり、且つ、バッテリ出力が第１のバッテリ出力上限値及び下限値Ｐｂｏｕ０，Ｐｂｏｌ０により定義される範囲に収まるように、最終的な油圧負荷出力Ｐｈｏ，アシストモータ３４に対する電動発電機出力Ｐａｏ、及び、電気負荷出力Ｐｅｏを決定し、出力する。
【０１１４】
コントローラ４２は、これらの決定された出力に基づいて、アシストモータ３４を制御する。
【０１１５】
以上のように、油圧負荷推定アルゴリズムを用いて油圧ポンプ出力（軸入力側）Ｗｉｎを精度よく算出して、アシストモータ３４のアシスト量を制御することにより、エンジン３０の負荷を常に適切にすることができる。したがって、エンジン３０への過負荷が防止され、常に効率のよい条件で運転することができる。
【０１１６】
また、ポジコンの場合にはポンプ吐出圧Ｐｉに代えてレバー操作量θｉが、ロードセンシングの場合には最大負荷圧力Ｐｍａｘ及び差圧ΔＰが、コントローラ４２へ入力される。さらに、油圧ポンプの制限制御を行なう場合には、ポンプ制限電流Ｉに代えて、本発明の他の実施の形態中の１）２）３）のいずれかの算出方法により求めたポンプ電流Ｉｏを、コントローラ４２へ入力してアシストモータの出力Ｐａｏを求めることができる。
【０１１７】
以上、本発明の例示的な実施形態のハイブリッド式作業機械について説明したが、本発明は、具体的に開示された実施形態に限定されるものではなく、特許請求の範囲から逸脱することなく、種々の変形や変更が可能である。
【０１１８】
本出願は２００８年１１月２８日出願の日本特許出願２００８−３０４５３０号及び２００８年１２月３日出願の日本特許出願２００８−３０８６９８号に基づくものであり、その全内容はここに援用される。
【産業上の利用可能性】
【０１１９】
本発明は、内燃機関を電動モータによりアシストしてポンプを駆動して油圧を発生させるハイブリッド式作業機械に適用可能である。
【符号の説明】
【０１２０】
１  エンジンモータ
２  コントローラ
３  モード切換器
４  スロットルボリューム
５  電磁比例弁
２１  油圧ポンプ
２１ａ  斜板
２１Ａ  パイロット・ギアポンプ
２２  コントローラバルブ
２２ａ，２２ｂ，２２ｃ  切換弁
２３  ポンプ吐出圧センサ
２４  ネガティブコントロール絞り弁（ネガコン絞り弁）
２５  タンク
２６  ネガティブコントロールセンサ（ネガコンセンサ）
２７  レギュレータ
３０  エンジン
３２  スプリッタ
３４  アシストモータ
３６，４０  インバータ
３８  バッテリ
４２  コントローラ
５０  油圧負荷推定演算部
５２  エンジン出力範囲決定部
５４  バッテリ出力決定部
５４Ａ  バッテリ出力範囲決定部
５４Ｂ  バッテリ出力目標値決定部
５４Ｃ  充電状態算出部
【図１】
2010061837.tif 000007
【図２】
2010061837.tif 000008
【図３】
2010061837.tif 000009
【図４】
2010061837.tif 000010
【図５】
2010061837.tif 000011
【図６】
2010061837.tif 000012
【図７】
2010061837.tif 000013
【図８】
2010061837.tif 000014
【図９】
2010061837.tif 000015
【図１０】
2010061837.tif 000016
【図１１】
2010061837.tif 000017
【図１２】
2010061837.tif 000018
【図１３】
2010061837.tif 000019
【図１４】
2010061837.tif 000020
【図１５】
2010061837.tif 000021
【図１６】
2010061837.tif 000022
【図１７】
2010061837.tif 000023
【図１８】
2010061837.tif 000024
【図１９】
2010061837.tif 000025
【図２０】
2010061837.tif 000026
【手続補正書】
【提出日】平成23年8月5日(2011.8.5)
【手続補正１】
【補正対象書類名】特許請求の範囲
【補正対象項目名】全文
【補正方法】変更
【補正の内容】
【特許請求の範囲】
【請求項１】
油圧ポンプをエンジンの出力と電動発電機の出力とで駆動するハイブリッド式作業機械の制御方法であって、
前記油圧ポンプの入力側の動力を算出し、
算出した動力に基づいて前記電動発電機の出力を制御する
ことを特徴とするハイブリッド式作業機械の制御方法。
【請求項２】
請求項１記載のハイブリッド式作業機械の制御方法であって、
前記油圧ポンプの入力側の動力を推定演算により算出することを特徴とするハイブリッド式作業機械の制御方法。
【請求項３】
請求項２記載のハイブリッド式作業機械の制御方法であって、
前記油圧ポンプの出力側の動力を求め、求められた動力をポンプ効率で割ることにより、前記油圧ポンプの入力側の動力を算出することを特徴とするハイブリッド式作業機械の制御方法。
【請求項４】
請求項３記載のハイブリッド式作業機械の制御方法であって、
前記油圧ポンプとして可変斜板式油圧ポンプを用い、
該可変斜板式油圧ポンプの傾斜板角度と吐出圧力とを用いて前記ポンプ効率を算出する
ことを特徴とするハイブリッド式作業機械の制御方法。
【請求項５】
請求項１記載のハイブリッド式作業機械の制御方法であって、
前記エンジンの動力を前記油圧ポンプに供給する連結軸にトルクセンサを設け、
該トルクセンサの検出値から前記油圧ポンプの入力側の動力を算出する
ことを特徴とするハイブリッド式作業機械の制御方法。
【請求項６】
請求項３記載のハイブリッド式作業機械の制御方法であって、
前記油圧ポンプの吐出圧力を検出し、
前記油圧ポンプの吐出量を求め、
求められた吐出量と検出した吐出圧力とに基づいて、前記油圧ポンプの出力側の動力を算出することを特徴とするハイブリッド式作業機械の制御方法。
【請求項７】
請求項４記載のハイブリッド式作業機械の制御方法であって、
前記可変斜板式油圧ポンプの吐出圧力を検出し、
前記可変斜板式油圧ポンプの吐出量を求め、
求められた吐出量と検出した吐出圧力とに基づいて、前記可変斜板式油圧ポンプの傾斜板角度を算出することを特徴とするハイブリッド式作業機械の制御方法。
【請求項８】
請求項６又は７記載のハイブリッド式作業機械の制御方法であって、
ネガティブコントロール圧力から求めた前記油圧ポンプの吐出量であるネガコン制御吐出量圧と、前記油圧ポンプの吐出圧力から求めた前記油圧ポンプの吐出量である馬力制御吐出量とを比較し、いずれか小さいほうを前記油圧ポンプの吐出量として選定することを特徴とするハイブリッド式作業機械の制御方法。
【請求項９】
請求項６又は７記載のハイブリッド式作業機械の制御方法であって、
油圧負荷を駆動するための指令を送る複数の操作レバーのレバー操作量から求めた前記油圧ポンプに要求される吐出量を加算して求めた要求吐出量と、前記油圧ポンプの吐出圧力から求めた前記油圧ポンプの吐出量である馬力制御吐出量とを比較し、いずれか小さいほうを前記油圧ポンプの吐出量として選定することを特徴とするハイブリッド式作業機械の制御方法。
【請求項１０】
請求項６又は７記載のハイブリッド式作業機械の制御方法であって、
最大負荷圧力に所定の差圧を加算して求めた油圧ポンプの吐出圧力を用いて、ポンプ馬力制御ＰＱ線図から前記油圧ポンプの吐出量を求めることを特徴とするハイブリッド式作業機械の制御方法。
【請求項１１】
可変容量式油圧ポンプをエンジンで駆動し、電動発電機により該エンジンをアシストするハイブリッド式作業機械のポンプ出力制御方法であって、
前記可変式油圧ポンプの出力から前記エンジンの出力及び前記電動発電機の出力を減算して求めた出力超過分を用い、予め定められたアルゴリズムに従って前記可変容量式油圧ポンプの出力を制限することを特徴とするハイブリッド式作業機械のポンプ出力制御方法。
【請求項１２】
請求項１１記載のハイブリッド式作業機械のポンプ出力制御方法であって、
前記アルゴリズムは、前記出力超過分と前記可変容量式油圧ポンプの吐出圧力とを用いて前記可変容量式油圧ポンプの制御電流を決定することを特徴とするハイブリッド式作業機械のポンプ出力制御方法。
【請求項１３】
請求項１１記載のハイブリッド式作業機械のポンプ出力制御方法であって、
前記アルゴリズムに基づいて作成したマップを用いて前記可変容量式油圧ポンプの制御電流を決定することを特徴とするハイブリッド式作業機械のポンプ出力制御方法。
【請求項１４】
請求項１１記載のハイブリッド式作業機械のポンプ出力制御方法であって、
前記アルゴリズムは、前記可変容量式油圧ポンプの制御電流制限量とポンプ出力制限量の関係を示す線図を用いて、前記可変容量式油圧ポンプの制御電流を決定することを特徴とするハイブリッド式作業機械のポンプ出力制御方法。
【請求項１５】
請求項１１記載のハイブリッド式作業機械のポンプ出力制御方法であって、
前記アルゴリズムは、前記可変容量式油圧ポンプの制御電流制限量とトルク制限量の関係を示す線図を用いて、前記可変容量式油圧ポンプの制御電流を決定することを特徴とするハイブリッド式作業機械のポンプ出力制御方法。
【請求項１６】
請求項１１記載のハイブリッド式作業機械のポンプ出力制御方法であって、
前記アルゴリズムは、前記可変容量式油圧ポンプの制御電流制限量とポンプ吐出量制限量の関係を示す線図を用いて、前記可変容量式油圧ポンプの制御電流を決定することを特徴とするハイブリッド式作業機械のポンプ出力制御方法。
【国際調査報告】
2010061837.tif 000027
2010061837.tif 000028